(57)【要約】【課題】  伸縮体が長くても適正な使用が可能な吹き戻しを提供する。【解決手段】  口吹体５から空気を吹き込むと伸縮体２が伸び、空気を吹き込まない状態では、線状体３の弾性力によって伸縮体２が渦巻状に巻かれる吹き戻しであって、断面が略Ｕ字状の長尺体で、一端部６１が専管体４に接続され専管体４の一端部４１から突出して延びる吹き戻し用支持具６を備え、伸縮体２が伸びた状態で、吹き戻し用支持具６が伸縮体２の一端部２１側を収容して支え、伸縮体２が巻かれる際に、吹き戻し用支持具６が伸縮体２を専管体４側に案内する。【選択図】  図２
2017205227.tif 000002
【特許請求の範囲】
【請求項１】
筒状で変形自在な伸縮体と、弾性を有し前記伸縮体の長手方向に沿って配設された線状体と、筒状で一端部側が前記伸縮体の一端部に接続された専管体と、筒状で前記専管体の他端部側に設けられ使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しに取り付けられる吹き戻し用支持具であって、
断面が略Ｕ字状の長尺体で、一端部が前記専管体に接続された状態で前記専管体の一端部から突出して延び、前記伸縮体が伸びた状態で前記伸縮体の一端部側を収容して支え、前記伸縮体が巻かれる際に前記伸縮体を前記専管体側に案内する、
ことを特徴とする吹き戻し用支持具。
【請求項２】
筒状で変形自在な伸縮体と、弾性を有し前記伸縮体の長手方向に沿って配設された線状体と、筒状で一端部側が前記伸縮体の一端部に接続された専管体と、筒状で前記専管体の他端部側に設けられ使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、
断面が略Ｕ字状の長尺体で、一端部が前記専管体に接続され前記専管体の一端部から突出して延びる吹き戻し用支持具を備え、
前記伸縮体が伸びた状態で、前記吹き戻し用支持具が前記伸縮体の一端部側を収容して支え、前記伸縮体が巻かれる際に、前記吹き戻し用支持具が前記伸縮体を前記専管体側に案内する、
ことを特徴とする吹き戻し。
【発明の詳細な説明】
【技術分野】
【０００１】
この発明は、吹き戻しに関し、特に、伸縮体が長い吹き戻しに取り付けられる吹き戻し用支持具および、この吹き戻し用支持具を備えた吹き戻しに関する。
【背景技術】
【０００２】
吹き戻しは、古くから吹き戻し玩具として知られている。この吹き戻しは、筒状の伸縮体（袋状部）の長手方向に沿って線状のバネ材が配設され、伸縮体の一端部から空気を吹き込むと伸縮体が伸び、空気を吹き込まない状態では、バネ材の弾性力によって伸縮体が渦巻状に巻かれるものである。
【０００３】
このような吹き戻しは、従来、主に子供の玩具として使用されていたが、健康促進や治療、美容などの目的に利用可能な吹き戻しが知られている（例えば、特許文献１参照。）。この吹き戻しは、抗菌性の柔軟材料から形成されたマウスピースを、吹き込み部に着脱自在に備えることで、長期間の繰り返し使用によっても衛生状態を良好に保ち得るものである。
【先行技術文献】
【特許文献】
【０００４】
【特許文献１】実用新案登録第３１３７９４４号公報
【発明の概要】
【発明が解決しようとする課題】
【０００５】
ところで、伸縮体の長さは、健康促進や美容などの使用目的に応じて設定することが望ましく、例えば、美容目的の場合、玩具用の伸縮体よりも長く設定するのが望ましい、と本願発明者は考える。つまり、美容目的の場合には、より多くの空気量を吹き込まないと伸縮体が全長にわたって伸びないように、伸縮体の長さをより長く設定することが望ましい、と考える。
【０００６】
しかしながら、紙などの剛性が弱い材料で伸縮体が構成されているため、伸縮体が長いと、空気を吹き込んで伸ばした際に、自重によって伸縮体が真っ直ぐに伸びずに、垂れ下がったり折れ曲がったりして、外観が悪いばかりでなく、達成感・爽快感を感じられないおそれがある。しかも、伸縮体が長いと、渦巻状に巻かれる際に、適正に（きれいに）巻かれずに形が崩れてしまい、外観が悪いばかりでなく、伸縮体の劣化を早めるおそれがある。
【０００７】
そこでこの発明は、伸縮体が長くても適正な使用を可能にする吹き戻し用支持具と、この吹き戻し用支持具を備えた吹き戻しを提供することを目的とする。
【課題を解決するための手段】
【０００８】
上記課題を解決するために、請求項１の発明は、筒状で変形自在な伸縮体と、弾性を有し前記伸縮体の長手方向に沿って配設された線状体と、筒状で一端部側が前記伸縮体の一端部に接続された専管体と、筒状で前記専管体の他端部側に設けられ使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しに取り付けられる吹き戻し用支持具であって、断面が略Ｕ字状の長尺体で、一端部が前記専管体に接続された状態で前記専管体の一端部から突出して延び、前記伸縮体が伸びた状態で前記伸縮体の一端部側を収容して支え、前記伸縮体が巻かれる際に前記伸縮体を前記専管体側に案内する、ことを特徴とする。
【０００９】
請求項２の発明は、筒状で変形自在な伸縮体と、弾性を有し前記伸縮体の長手方向に沿って配設された線状体と、筒状で一端部側が前記伸縮体の一端部に接続された専管体と、筒状で前記専管体の他端部側に設けられ使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、断面が略Ｕ字状の長尺体で、一端部が前記専管体に接続され前記専管体の一端部から突出して延びる吹き戻し用支持具を備え、前記伸縮体が伸びた状態で、前記吹き戻し用支持具が前記伸縮体の一端部側を収容して支え、前記伸縮体が巻かれる際に、前記吹き戻し用支持具が前記伸縮体を前記専管体側に案内する、ことを特徴とする。
【発明の効果】
【００１０】
請求項１および請求項２の発明によれば、伸縮体が伸びた状態で、伸縮体の一端部側が吹き戻し用支持具に収容されて支えられるため、伸縮体が長い場合であっても、伸縮体が垂れ下がったり折れ曲がったりするのを防止・抑制することが可能となる。また、伸縮体が巻かれる際に、吹き戻し用支持具によって伸縮体が専管体側に案内されるため、伸縮体が長い場合であっても、伸縮体を適正に（形を崩さずに）巻くことが可能となる。このようにして、伸縮体が長くても適正な使用が可能となり、外観が良好で達成感・爽快感を感じられ、しかも、伸縮体の劣化を抑制することが可能となる。
【図面の簡単な説明】
【００１１】
【図１】この発明の実施の形態に係る吹き戻しを示す平面図である。
【図２】図１の吹き戻しの正面図である。
【図３】図１の左側面図である。
【図４】図１の吹き戻しの伸縮体と専管体の接続関係を示す正面図である。
【図５】図１の吹き戻しの伸縮体が伸びた状態を示す平面図（ａ）と正面図（ｂ）である。
【図６】図５（ａ）の左側面図である。
【図７】図１の吹き戻しの伸縮体が巻き戻る途中の状態を示す正面図（ａ）と、巻き戻る終期の状態を示す正面図（ｂ）である。
【発明を実施するための形態】
【００１２】
以下、この発明を図示の実施の形態に基づいて説明する。
【００１３】
図１〜図７は、この実施の形態を示し、図１および図２は、この実施の形態に係る吹き戻しを示す平面図およびで正面図ある。この吹き戻し１は、主として、吹き戻し用支持具６を備える点で既存の吹き戻しと構成が大きく異なり、主として、伸縮体２と、線状体３と、専管体４と、口吹体５と、吹き戻し用支持具６と、を備えている。
【００１４】
伸縮体２は、筒状で変形自在な袋状部であり、所定の厚み、強度、密度（単位面積当たりの重量）、耐久性などの材質・特性を有する紙材を、素材として構成されている。この伸縮体２は、図５に示すように、空気が吹き込まれて膨らんだ状態で、断面が略円形となり、その内径が専管体４の外径よりもやや大きく設定されている。
【００１５】
また、伸縮体２の長さ（専管体４が挿入された部分を除く長さ）Ｌ１は、健康促進や美容、治療などの使用目的に応じて設定されている。すなわち、伸縮体２を全長Ｌ１にわたって伸ばすのに要する空気量が、使用目的に応じて予め設定された適正空気量になるように、伸縮体２の長さＬ１が設定されている。この実施の形態では、健康促進や美容を使用目的とし、通常の吹き戻しよりも長く（例えば、１ｍ程度に）設定されている。
【００１６】
線状体３は、弾性を有し伸縮体２の長手方向に沿って真っ直ぐに配設された線材である。すなわち、ステンレス製の針金で構成され、外力を加えない状態（伸縮体２に空気を吹き込まない状態）では、渦巻状・コイル状に巻かれ、真っ直ぐに伸ばして外力を解除すると、渦巻状に戻ろうとする弾性力が作用するものであり、その弾性力（弾性係数）は、所定の値に設定されている。すなわち、伸縮体２を伸ばすのに要する必要呼気力が、使用目的に応じて設定された適正値になるように、換言すると、口吹体５から空気を吹き込む力（呼気圧）が適正値（所定値）以上でないと、伸縮体２が伸びないように、弾性力が所定値に設定されている。
【００１７】
ここで、１つの線状体３では所定値の弾性力を正確に得られない場合や、複数の線状体３によって所定値の弾性力をより正確かつ容易に得られる場合には、複数の線状体３が配設されている。すなわち、複数の線状体３が配設されることで、口吹体５から空気を吹き込む力が適正値（所定値）以上でないと、伸縮体２が伸びないようになっている。このような線状体３は、伸縮体２が渦巻状に巻かれる内輪側に、伸縮体２内に収容、配設されている。
【００１８】
専管体４は、略円筒状で、一端部４１側が伸縮体２の一端部２１に同軸に接続された専管部である。すなわち、所定の材質を有する厚い紙材で構成された円筒体で、図４に示すように、伸縮体２の一端部２１内に専管体４の一端部４１側が挿入され、伸縮体２の一端縁２１ａは、専管体４の他端部４２（口吹体５）の近くまで達している。つまり、この実施の形態では、伸縮体２の一端部２１内に専管体４の一端部４１側が長く挿入されており、これにより、伸縮体２の一端部２１側が専管体４で長く支持されて、伸縮体２が真っ直ぐに延びるようになっている。このような専管体４の内径と長さは、使用者が容易に持つことができ、かつ、口吹体５から伸縮体２に空気を吹き込みやすいように設定されている。
【００１９】
口吹体５は、略円筒状（円錐台状の筒体）で専管体４の他端部４２側に同軸に設けられ、使用者が口にくわえて空気を吹き込む口吹部である。
【００２０】
吹き戻し用支持具６は、断面が略Ｕ字状の長尺体で、一端部６１が専管体４に接続された状態で専管体４の一端部４１から突出して延び、伸縮体２が伸びた状態で伸縮体２の一端部２１側を収容して支え、伸縮体２が巻かれる際に伸縮体２を専管体４側に案内するように形成されている。
【００２１】
具体的には、図３、図６に示すように、断面が略Ｕ字状の長尺体で、吹き戻し用支持具６の一端部６１が伸縮体２ととともに専管体４に接続されている。すなわち、図２に示すように、一端部６１が伸縮体２の一端縁２１ａを股いて位置し、伸縮体２の一端縁２１ａを全周にわたって覆うように接続テープ７が貼り付けられて、伸縮体２の一端部２１と吹き戻し用支持具６の一端部６１が専管体４に接続されている。
【００２２】
このような接続状態で、吹き戻し用支持具６が専管体４と同軸に一端部４１から真っ直ぐに突出して延びている。ここで、吹き戻し用支持具６の長さ、つまり、図５に示す専管体４の一端部４１からの突出長Ｌ２は、伸縮体２の長さＬ１に基づいて、伸縮体２が伸びた状態で伸縮体２の一端部２１側（一端部２１から中央部側）を支持して、伸縮体２が垂れ下がったり折れ曲がったりしないように、かつ、使用や保管などの邪魔にならないように設定されている。
【００２３】
また、吹き戻し用支持具６の断面形状（長手方向に垂直な断面の形状）は、伸縮体２が伸びた状態で伸縮体２の一端部２１側を収容するように形成されている。すなわち、図６に示すように、断面が雨樋状で、断面が略円形に膨らんだ伸縮体２を収容して、伸縮体２の底部２ａが吹き戻し用支持具６の底面部６ａに接し、伸縮体２の両側面部を吹き戻し用支持具６の両側面部６ｂが囲うように、形成されている。
【００２４】
さらに、吹き戻し用支持具６の断面形状は、伸縮体２が巻かれる際に伸縮体２を専管体４側に案内するように形成されている。すなわち、図３に示すように、伸縮体２が巻かれた渦巻状部２Ａが、吹き戻し用支持具６内に収容され、かつ、渦巻状部２Ａの両側部２Ａ１が吹き戻し用支持具６の両側面部６ｂに接するように（渦巻状部２Ａが吹き戻し用支持具６の両側面部６ｂで挟まれるように）、形成されている。
【００２５】
これにより、図７に示すように、巻き戻り中に渦巻状部２Ａ（伸縮体２）が吹き戻し用支持具６で専管体４側に案内されて、伸縮体２の軸心が専管体４の軸心と一致して伸縮体２が順次巻かれる。この結果、渦巻状部２Ａが横にはみ出たり形が崩れたりすることなく、軸心が重なって伸縮体２が巻かれていき、図２に示すように、ゼンマイ状の渦巻状部２Ａとなって吹き戻し用支持具６内に収まる。
【００２６】
このような構成の吹き戻し１では、使用者が口吹体５から空気を吹き込むと、図５に示すように、空気が伸縮体２に流入して伸縮体２が伸び、空気を吹き込まない状態では、図１、図２に示すように、線状体３の弾性力によって伸縮体２が渦巻状に巻き戻る。この際、口吹体５から空気を吹き込む力（呼気圧）が、使用目的に応じて設定された適正値（所定値）以上でないと、伸縮体２が伸び続けていかず、また、使用目的に応じて予め設定された空気量だけ吹き込まないと、伸縮体２が全長Ｌ１にわたって伸びない。従って、このような吹き戻し１を使用して伸縮体２の伸縮（吹き戻し）を繰り返すことで、使用目的に応じた適正な吹き込み力での運動、訓練が行えるものである。
【００２７】
そして、伸縮体２が伸びた状態では、図５に示すように、吹き戻し用支持具６が伸縮体２の一端部２１側を収容して支え、伸縮体２が巻かれる際には、図７に示すように、吹き戻し用支持具６が伸縮体２を専管体４側に案内する。
【００２８】
以上のように、この吹き戻し１によれば、伸縮体２が伸びた状態で、伸縮体２の一端部２１側が吹き戻し用支持具６に収容されて支えられるため、伸縮体２が長い場合であっても、伸縮体２が垂れ下がったり折れ曲がったりするのを防止・抑制することが可能となる。また、伸縮体２が巻かれる際に、吹き戻し用支持具６によって伸縮体２が専管体４側に案内されるため、伸縮体２が長い場合であっても、伸縮体２を適正に（形を崩さずに）巻くことが可能となる。このようにして、伸縮体２が長くても適正な使用が可能となり、外観が良好で達成感・爽快感を感じられ、しかも、伸縮体２の劣化を抑制することが可能となる。
【００２９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、吹き戻し用支持具６を備えた吹き戻し１について説明したが、吹き戻し用支持具６を単体・単品とし、吹き戻し用支持具６を既存・既製の吹き戻しに取り付けてもよい。これにより、吹き戻し１全体を購入することなく、既存・既製の吹き戻しを利用して吹き戻し１を構成することができ、使用者にとって利便性・経済性が高い
【符号の説明】
【００３０】
１        吹き戻し
２        伸縮体
２Ａ      渦巻状部
２１      一端部
３        線状体
４        専管体
４１      一端部
５        口吹体
６        吹き戻し用支持具
６１      一端部
７        接続テープ
【図１】
2017205227.tif 000003
【図２】
2017205227.tif 000004
【図３】
2017205227.tif 000005
【図４】
2017205227.tif 000006
【図５】
2017205227.tif 000007
【図６】
2017205227.tif 000008
【図７】
2017205227.tif 000009